(57)【要約】【課題】より多くのテレビ標準方式に対応しながらも、入力される映像信号のテレビ標準方式をごく短時間のうちに判別する。【解決手段】映像信号を入力する入出力コネクタ部17及び入出力Ｉ／Ｆ31を含む入力部と、過去に入力した映像信号のテレビ標準方式を記憶する方式記憶部41と、入力される映像信号のテレビ標準方式と方式記憶部41で記憶したテレビ標準方式との一致比較により入力した映像信号のテレビ標準方式を判別し、その判別結果に対応して方式記憶部41の記憶内容を更新記憶させる制御部42とを備える。【選択図】      図２
2006253917.tif 000002
【特許請求の範囲】
【請求項１】
映像信号を入力する入力手段と、
過去に入力した映像信号のテレビ標準方式を記憶する第１の記憶手段と、
上記入力手段より入力される映像信号のテレビ標準方式と上記第１の記憶手段で記憶するテレビ標準方式との一致比較により入力した映像信号のテレビ標準方式を判別する第１の判別手段と、
この第１の判別手段での判別結果に対応して上記第１の記憶手段の記憶内容を更新記憶させる記憶制御手段と
を具備したことを特徴とする画像処理装置。
【請求項２】
複数の言語に対応してそれぞれ複数のテレビ標準方式を優先順位を付して記憶する第２の記憶手段と、
上記第１の判別手段で一致が見られなかった場合に上記第２の記憶手段に記憶される複数の言語から一つを選択する選択手段と、
この選択手段で選択された言語に対応する複数のテレビ標準方式をその有線順位に従って上記入力手段より入力される映像信号のテレビ標準方式と順次一致比較していく第２の判別手段と
をさらに具備したことを特徴とする請求項１記載の画像処理装置。
【請求項３】
上記第１の記憶手段は、複数のテレビ標準方式を所定の順位に従って記憶し、
上記第１の判別手段は、上記入力手段より入力される映像信号のテレビ標準方式を上記第１の記憶手段に記憶される複数のテレビ標準方式とその所定の順位に従って順次一致比較する
ことを特徴とする請求項１記載の画像処理装置。
【請求項４】
上記所定の順位は時系列に従ったものであることを特徴とする請求項３記載の画像処理装置。
【請求項５】
上記所定の順位は入力頻度に従ったものであることを特徴とする請求項３記載の画像処理装置。
【請求項６】
過去に入力した映像信号のテレビ標準方式を記憶する記憶工程と、
入力される映像信号のテレビ標準方式と上記記憶工程で記憶したテレビ標準方式との一致比較により入力した映像信号のテレビ標準方式を判別する判別工程と、
この判別工程での判別結果に対応して上記記憶工程での記憶内容を更新記憶させる記憶制御工程と
を有したことを特徴とする画像処理方法。
【請求項７】
複数のテレビ標準方式の映像信号が入力可能な画像処理装置に内蔵されたコンピュータが実行するプログラムであって、
過去に入力した映像信号のテレビ標準方式を記憶する記憶ステップと、
入力される映像信号のテレビ標準方式と上記記憶ステップで記憶したテレビ標準方式との一致比較により入力した映像信号のテレビ標準方式を判別する判別ステップと、
この判別ステップでの判別結果に対応して上記記憶ステップでの記憶内容を更新記憶させる記憶制御ステップと
をコンピュータに実行させることを特徴とするプログラム。
【発明の詳細な説明】
【技術分野】
【０００１】
本発明は、複数のテレビ標準方式の映像信号に対応したモニタ装置やプロジェクタ装置等に好適な画像処理装置、画像処理方法及びプログラムに関する。
【背景技術】
【０００２】
従来、例えばプロジェクタ装置で複数のテレビ標準方式の映像信号に対応し、入力される映像信号（コンポジットビデオ信号）からそのテレビ標準方式を選択設定する処理では、入力信号が例えばＮＴＳＣ方式であるか否か、ＰＡＬ方式であるか否か、ＳＥＣＡＭ方式であるか、ＮＴＳＣ４．４３であるか否か、‥‥というように、予めその装置に設定されている順序で入力信号のテレビ標準方式が各テレビ標準方式であるか否かを信号中の同期信号のタイミング等により比較判別するものとなっている。
【０００３】
また、これとは別に、カラーバースト信号から放送方式を判別する第１状態検出回路と、同期信号から放送方式を判別する第２状態状態検出回路と、上記第１，２状態検出回路の出力状態により放送方式を判別する第３状態検出回路とを備え、放送方式を自動選択するようにした放送方式自動選択装置の技術が考えられている。（例えば、特許文献１）
【特許文献１】特開平０６−０８６２９８号公報
【発明の開示】
【発明が解決しようとする課題】
【０００４】
上記した、予め設定されている順序で入力される信号のテレビ標準方式を順次比較判別していくものでは、設定された順序の終わり側のテレビ標準方式の映像信号が入力された場合、特に多くのテレビ標準方式の映像信号に対応したものであるほど、その判別に要する時間がきわめて長いものとなる。
【０００５】
また、上記特許文献１に記載された技術は、特にＮＴＳＣ、ＰＡＬ−Ｍ、ＰＡＬ−Ｎの３方式中から一つを自動選択する場合に適したハードウェア回路の構成を有するものであり、より多くのテレビジョン（放送）方式に対応した汎用の装置を想定した場合には、その回路規模がきわめて大きなものとなってしまい、現実的ではない。
【０００６】
本発明は上記のような実情に鑑みてなされたもので、その目的とするところは、より多くのテレビ標準方式に対応しながらも、入力される映像信号のテレビ標準方式をごく短時間のうちに判別することが可能な画像処理装置、画像処理方法及びプログラムを提供することにある。
【課題を解決するための手段】
【０００７】
請求項１記載の発明は、映像信号を入力する入力手段と、過去に入力した映像信号のテレビ標準方式を記憶する第１の記憶手段と、上記入力手段より入力される映像信号のテレビ標準方式と上記第１の記憶手段で記憶するテレビ標準方式との一致比較により入力した映像信号のテレビ標準方式を判別する第１の判別手段と、この第１の判別手段での判別結果に対応して上記第１の記憶手段の記憶内容を更新記憶させる記憶制御手段とを具備したことを特徴とする。
【０００８】
請求項２記載の発明は、上記請求項１記載の発明において、複数の言語に対応してそれぞれ複数のテレビ標準方式を優先順位を付して記憶する第２の記憶手段と、上記第１の判別手段で一致が見られなかった場合に上記第２の記憶手段に記憶される複数の言語から一つを選択する選択手段と、この選択手段で選択された言語に対応する複数のテレビ標準方式をその有線順位に従って上記入力手段より入力される映像信号のテレビ標準方式と順次一致比較していく第２の判別手段とをさらに具備したことを特徴とする。
【０００９】
請求項３記載のつは、上記請求項１記載の発明において、上記第１の記憶手段は、複数のテレビ標準方式を所定の順位に従って記憶し、上記第１の判別手段は、上記入力手段より入力される映像信号のテレビ標準方式を上記第１の記憶手段に記憶される複数のテレビ標準方式とその所定の順位に従って順次一致比較することを特徴とする。
【００１０】
請求項４記載の発明は、上記請求項３記載の発明において、上記所定の順位は時系列に従ったものであることを特徴とする。
【００１１】
請求項５記載の発明は、上記請求項３記載の発明において、上記所定の順位は入力頻度に従ったものであることを特徴とする。
【００１２】
請求項６記載の発明は、過去に入力した映像信号のテレビ標準方式を記憶する記憶工程と、入力される映像信号のテレビ標準方式と上記記憶工程で記憶したテレビ標準方式との一致比較により入力した映像信号のテレビ標準方式を判別する判別工程と、この判別工程での判別結果に対応して上記記憶工程での記憶内容を更新記憶させる記憶制御工程とを有したことを特徴とする。
【００１３】
請求項７記載の発明は、複数のテレビ標準方式の映像信号が入力可能な画像処理装置に内蔵されたコンピュータが実行するプログラムであって、過去に入力した映像信号のテレビ標準方式を記憶する記憶ステップと、入力される映像信号のテレビ標準方式と上記記憶ステップで記憶したテレビ標準方式との一致比較により入力した映像信号のテレビ標準方式を判別する判別ステップと、この判別ステップでの判別結果に対応して上記記憶ステップでの記憶内容を更新記憶させる記憶制御ステップとをコンピュータに実行させることを特徴とする。
【発明の効果】
【００１４】
請求項１記載の発明によれば、複数のテレビ標準方式に対応しながらも、過去に入力した映像信号のテレビ標準方式を記憶しておき、あらたな映像信号の入力に際してはまず記憶したテレビ標準方式との一致比較を行なうようにしたので、過去の履歴を有効に活用して、入力される映像信号のテレビ標準方式を短時間のうちに判別することが可能となる。
【００１５】
請求項２記載の発明によれば、上記請求項１記載の発明の効果に加えて、入力された映像信号のテレビ標準方式が過去に入力したテレビ標準方式の映像信号ではなかった場合でも、複数用意した言語を選択することでその言語に対応してより一致する確率の高いテレビ標準方式から順次一致比較していくことで、結果的に入力される映像信号のテレビ標準方式をより短時間のうちに判別することが可能となる。
【００１６】
請求項３記載の発明によれば、上記請求項１記載の発明の効果に加えて、所定の順位に従って過去に入力した映像信号のテレビ標準方式を複数記憶し、その所定の順位に従ってあらたに入力する映像信号のテレビ標準方式を判別するようになるため、入力される映像信号のテレビ標準方式がその都度異なる場合であっても、過去の履歴をより有効に活用し、短時間のうちに判別することが可能となる。
【００１７】
請求項４記載の発明によれば、上記請求項３記載の発明の効果に加えて、より近い過去に入力したテレビ標準方式の映像信号が再度入力される場合にその判別に要する時間を大幅に短縮することができる。
【００１８】
請求項５記載の発明によれば、上記請求項３記載の発明の効果に加えて、より多い頻度で入力したテレビ標準方式の映像信号が再度入力される場合にその判別に要する時間を大幅に短縮することができる。
【００１９】
請求項６記載の発明によれば、複数のテレビ標準方式に対応しながらも、過去に入力した映像信号のテレビ標準方式を記憶しておき、あらたな映像信号の入力に際してはまず記憶したテレビ標準方式との一致比較を行なうようにしたので、過去の履歴を有効に活用して、入力される映像信号のテレビ標準方式を短時間のうちに判別することが可能となる。
【００２０】
請求項７記載の発明によれば、複数のテレビ標準方式に対応しながらも、過去に入力した映像信号のテレビ標準方式を記憶しておき、あらたな映像信号の入力に際してはまず記憶したテレビ標準方式との一致比較を行なうようにしたので、過去の履歴を有効に活用して、入力される映像信号のテレビ標準方式を短時間のうちに判別することが可能となる。
【発明を実施するための最良の形態】
【００２１】
（第１の実施の形態）  
以下本発明をプロジェクタ装置に適用した場合の第１の実施の形態について図面を参照して説明する。
【００２２】
図１は、同実施の形態に係るプロジェクタ装置１０の外観構成を示すもので、図１（Ａ）は主として筐体前面及び上面の、図１（Ｂ）は筐体背面及び下面のそれぞれ配置構成を示す。
【００２３】
図１（Ａ）に示すように、直方体状の本体ケーシング１１の前面に、投影レンズ１２、、測距センサ１３、及びＩｒ受光部１４が配設される。
【００２４】
投影レンズ１２は、後述するマイクロミラー素子等の空間的光変調素子で形成された光像をスクリーン等の対象に投影するためのものであり、ここでは合焦位置及びズーム位置（投影画角）を任意に可変できるものとする。
【００２５】
測距センサ１３は、２対の位相差センサの一方が水平方向、他方が垂直方向となるように互いに直交する方向に配置され、それぞれ被写体像に対する視差から三角測距の原理に基づいて所定の明暗パターンまでの距離を一次元的な検出ラインに沿って測定する。
【００２６】
Ｉｒ受光部１４は、図示しないこのプロジェクタ装置１０のリモートコントローラからのキー操作信号が重畳された赤外光（Ｉｒ）信号を受信する。
【００２７】
また、本体ケーシング１１の上面には、スイッチ部１５及びスピーカ１６が配設される。  
スイッチ部１５は、例えば電源キー、ＡＦ／ＡＫ（Ａｕｔｏｍａｔｉｃ  Ｆｏｃｕｓ／Ａｕｔｏｍａｔｉｃ  Ｋｅｙｓｔｏｎｅ  ｃｏｒｒｅｃｔｉｏｎ：自動合焦／自動台形補正）キー、ズームアップ／ダウンキー、信号選択キー、ボリュームアップ／ダウンキー、カーソルキー等からなる。
【００２８】
スピーカ１６は、入力された音声信号及び動作時のビープ音等を拡声放音する。
【００２９】
また、図１（Ｂ）に示すように本体ケーシング１１の背面には、入出力コネクタ部１７、Ｉｒ受光部１８、及びＡＣアダプタ接続部１９が配設される。  
入出力コネクタ部１７は、例えばパーソナルコンピュータ等の外部装置との接続のためのＵＳＢ端子、映像入力用のミニＤ−ＳＵＢ端子、Ｓ端子、及びＲＣＡ端子と、音声入力用のステレオミニ端子等からなる。
【００３０】
Ｉｒ受光部１８は、上記Ｉｒ受光部１４と同様に、図示しないリモートコントローラからのキー操作信号が重畳された赤外光（Ｉｒ）信号を受信する。  
ＡＣアダプタ接続部１９は、電源となる図示しないＡＣアダプタからのＡＣケーブルを接続する。
【００３１】
さらに、本体ケーシング１１の下面には、その四隅にそれぞれ高さ調節が可能な調整脚部２０ａ〜２０ｄが取り付けられる。
【００３２】
次に図２により上記プロジェクタ装置１０の電子回路の機能構成について説明する。同図中、入出力コネクタ部１７より入力された各種テレビ標準方式の異なる映像信号が、入出力インタフェース（Ｉ／Ｆ）３１、システムバスＳＢを介して映像変換部３２でこのプロジェクタ装置１０での投影に適した所定のフォーマットの映像信号に統一された後に、表示エンコーダ３３へ送られる。
【００３３】
表示エンコーダ３３は、送られてきた映像信号をビデオＲＡＭ３４に展開記憶させた上でこのビデオＲＡＭ３４の記憶内容からビデオ信号を生成して投影駆動部３５に出力する。
【００３４】
この投影駆動部３５は、送られてきたビデオ信号に対応して適宜フレームレート、例えば６０［フレーム／秒］と表示階調数とに従った、より高速な時分割駆動で例えばマイクロミラー素子でなる空間的光変調素子（ＳＯＭ）３６を表示駆動するもので、この空間的光変調素子３６に対して、例えばリフレクタ３７内に配置された超高圧水銀灯等の光源ランプ３８が出射する高輝度の白色光をカラーホイール３９を介して適宜原色に着色し、ミラー４０を介して照射することで、その反射光で光像が形成され、上記投影レンズ１２を介してここでは図示しないスクリーンに投影表示される。
【００３５】
上記各回路のすべての動作制御を司るのが制御部４２である。この制御部４２は、ＣＰＵと、後述するテレビ標準方式の判別処理を含む該ＣＰＵで実行される動作プログラム等を記憶した不揮発性メモリ、及びワークメモリ等により構成される。
【００３６】
この制御部４２にはまた、システムバスＳＢを介して上記Ｉｒ受光部１４，１８、方式記憶部４１、脚駆動部４３、測距処理部４４、及び音声処理部４５が接続される。
【００３７】
方式記憶部４１は、例えばフラッシュメモリ等の電気的に書換可能な不揮発性メモリで構成され、複数のテレビ標準方式の各判別条件等を固定的に記憶する一方で、図４（Ａ）に示すように、直前に入力された映像信号のテレビ標準（ＴＶ）方式の識別情報を更新記憶する前回方式記憶部４１ａと、図４（Ｂ）に示すように、複数Ｍ（Ｍ：２以上の自然数）の言語に対応してそれぞれ複数Ｎ（Ｎ：２以上の自然数）のテレビ標準（ＴＶ）方式の各識別情報をテーブルの形で記憶した言語対応方式テーブル４１ｂとを記憶している。
【００３８】
しかして、上記制御部４２が入出力コネクタ部１７より入力される映像信号のテレビ標準方式を判別する際、方式記憶部４１は適宜その内容を制御部４２に対して読出す。
【００３９】
脚駆動部４３は、上記制御部４２の制御の下に、上記本体ケーシング１１の下面に装着された上記調整脚部２０ａ〜２０ｄにそれぞれ接続された図示しない各モータを個別に回転駆動し、上記調整脚部２０ａ〜２０ｄの脚長を調整することで、本体ケーシング１１の設置姿勢及び投影光軸の角度を制御する。
【００４０】
測距処理部４４は、上記測距センサ１３を駆動して投影対象までの垂直方向及び水平方向の距離を測定する。
【００４１】
音声処理部４５は、ＰＣＭ音源等の音源回路を備え、投影表示動作時に、与えられる音声データをアナログ化し、上記スピーカ１６を駆動して拡声放音させる。  
なお、上記スイッチ部１５における各キー操作信号は直接制御部４２に入力されるもので、上記Ｉｒ受光部１４及び本体ケーシング１１の背面側に設けられるＩｒ受光部１８での赤外光受信信号も制御部４２に入力される。
【００４２】
次に上記実施の形態の動作について説明する。  
なお、上記方式記憶部４１の前回方式記憶部４１ａには、図４（Ａ）に示したように前回の映像信号の入力時に判別した結果である、例えばＮＴＳＣの識別情報が記憶されているものとする。
【００４３】
図３は、このプロジェクタ装置１０及び投影対象となるスクリーン等の設置が完了し、且つ投影画像の自動合焦、自動台形補正等の投影環境を整えた上で、プロジェクタ装置１０背面の上記入出力コネクタ部１７に外部機器を接続し、あらたに映像信号が入力される際に、主として制御部４２が実行するテレビ標準方式の判別処理を示すもので、その当初には入力される映像信号が安定するだけの待機処理を行なった後（ステップＡ０１）、入力される映像信号のテレビ標準方式（以下、図中では「ｓｔｄ．」と称する）が方式記憶部４１の前回方式記憶部４１ａに記憶されたものであるか否かを判断する（ステップＡ０２）。
【００４４】
ここで、前回方式記憶部４１ａに記憶したテレビ標準方式であると判断した場合には、ユーザに対する何らかの操作を促す表示等は一切なしに、自動的にテレビ標準方式の選択を行なうものとして、直ちに今回入力されている映像信号が前回方式記憶部４１ａに記憶されていたものと同様であるものとして確定し（ステップＡ０３）、次回の判別のために前回方式記憶部４１ａに再度今回確定したテレビ標準方式の識別情報を更新記憶させた上で（ステップＡ０４）、以上でこの図３の処理を終了する。
【００４５】
また、上記ステップＡ０２で入力された映像信号のテレビ標準方式が前回方式記憶部４１ａに記憶されたものではないと判断した場合には、次いで言語を指定する変数ｍに初期値「１」を設定し（ステップＡ０５）、併せて優先順位を指定する変数ｎにも初期値「１」を設定する（ステップＡ０６）。
【００４６】
次いで、上記図４（Ｂ）に示した方式記憶部４１の言語対応方式テーブル４１ｂを参照し、まずその時点の変数ｍで指定される内容によりどの言語を選択するのか、例えばｍ＝「１（日本語）」の場合は  
「ＬＡＮＧＵＡＧＥ⇒日本？  
ＹＥＳ⇒ＥＮＴＥＲ／ＮＯ⇒▽」  
のような文字ガイドメッセージを投影表示することで、上記スイッチ部１５またはリモートコントローラの「ＥＮＴＥＲ」キーまたはカーソルキー中の「▽」キーによる選択を促す（ステップＡ０７）。
【００４７】
因みに、変数ｍの値が「２（英語）」であれば上記「日本語？」の部分が「ＥＮＧＬＩＳＨ？」に、変数ｍの値が「３（独語）」であれば上記「日本語？」の部分が「ＤＥＵＴＳＣＨ？」に、‥‥、というように、各言語に応じた表記で言語の選択を促すものとなる。
【００４８】
この言語選択を促す投影表示に対し、スイッチ部１５またはリモートコントローラでその選択を肯定または否定する対応キー操作がなされると、制御部４２はその操作信号に応じて肯定であるか否かを判断する（ステップＡ０８）。
【００４９】
ここで、投影表示されている言語であるとのキー操作がなされた場合には、入力される映像信号が安定するだけの待機処理を行なった後（ステップＡ０９）、入力される映像信号のテレビ標準方式が方式記憶部４１の言語対応方式テーブル４１ｂのその時点でのｍ，ｎの各値に対応して記憶されているものであるか否かを判断する（ステップＡ１０）。
【００５０】
このとき入力されている映像信号のテレビ標準方式が言語対応方式テーブル４１ｂで示されるものであると判断した場合には、それ以上ユーザに対する何らかの操作を促す表示等は一切なしに、自動的にテレビ標準方式の選択を行なうものとして、上記ステップＡ０３に進み、その映像信号が言語対応方式テーブル４１ｂで示されているものと同様であるものとして確定し、続くステップＡ０４で上記次回の判別のために前回方式記憶部４１ａに再度今回確定したテレビ標準方式の識別情報を更新記憶させて、以上でこの図３の処理を終了する。
【００５１】
また上記ステップＡ１０で、入力される映像信号のテレビ標準方式が方式記憶部４１の言語対応方式テーブル４１ｂのその時点でのｍ，ｎの各値に対応して記憶されているものではないと判断した場合には、次いで変数ｎの値を「＋１」更新設定し（ステップＡ１１）、その更新設定した値が変数ｎの最大値「Ｎ」を超えていないことを確認した上で（ステップＡ１２）、更新設定した変数ｎに基づいて再び上記ステップＡ０９からの処理を繰返す。
【００５２】
そして、入力される映像信号に該当するテレビ標準方式がないままに変数ｎの値が最大値「Ｎ」を超えてしまった場合には、選択された言語に対応する複数のテレビ標準方式中で最も優先順位の高いものを選択するべく暫定的に変数ｎに初期値「１」を代入した上で（ステップＡ１３）、上記ステップＡ０３に進み、その時点でのｍ，ｎの各値に対応するテレビ標準方式を確定し、続くステップＡ０４で上記次回の判別のために前回方式記憶部４１ａに再度今回確定したテレビ標準方式の識別情報を更新記憶させて、以上でこの図３の処理を終了する。
【００５３】
また、上記ステップＡ０８で、言語選択を促す投影表示に対し、スイッチ部１５またはリモートコントローラでその選択を否定する対応キー操作がなされたと判断した場合には、制御部４２は言語を示す変数ｍの値を「＋１」更新設定し（ステップＡ１４）、その更新設定した値が変数ｍの最大値「Ｍ」を超えていないことを確認した上で（ステップＡ１５）、更新設定した変数ｍに基づいて再び上記ステップＡ０７からの処理を繰返す。
【００５４】
こうして言語対応方式テーブル４１ｂに予め記憶した言語を順次選択していくもので、どの言語に対してもそれを否定する対応キー操作がなされ、その後のステップＡ１４での変数ｍの「＋１」更新設定により変数ｍの値が最大値「Ｍ」を超えてしまった場合には、ステップＡ１５でこれを判断し、この言語対応方式テーブル４１ｂに用意した言語では入力される映像信号のテレビ標準方式に対応することができないものとして、以上でこの図３の処理を終了する。
【００５５】
このように、複数のテレビ標準方式に対応しながらも、過去に入力した映像信号のテレビ標準方式のうち、最も新しいもの一つを記憶しておき、あらたな映像信号の入力に際してはまず記憶したテレビ標準方式との一致比較を行なうようにした。
【００５６】
そのため、入力される映像信号のテレビ標準方式と一致する可能性がきわめて高く、過去の履歴を有効に活用して、あらたに入力される映像信号のテレビ標準方式を短時間のうちに判別することが可能となる。
【００５７】
加えて、入力された映像信号のテレビ標準方式が過去に入力したテレビ標準方式の映像信号ではなかった場合でも、優先順位を付して複数用意した言語を選択し、その選択した言語に対応してさらに一致比較する可能性の高いテレビ標準方式から順次一致比較していくことで、結果的に入力される映像信号のテレビ標準方式をより短時間のうちに判別することが可能となる。
【００５８】
なお、上記実施の形態では、上記ステップＡ０７でのユーザに言語選択を促すための表示を投影表示により行なうものとして説明したが、プロジェクタ装置１０の例えば上面に上記図１では示さなかった、タッチ入力機能付きの表示パネル等を設け、この表示パネルに言語選択を促すガイドメッセージを表示して必要な選択操作のタッチ入力を受付けることで、プロジェクタ装置１０を所定の投影位置に設置する前でも、同様に対処することができる。
【００５９】
（第２の実施の形態）  
以下本発明をプロジェクタ装置に適用した場合の第２の実施の形態について図面を参照して説明する。
【００６０】
なお、プロジェクタ装置の外観構成については上記図１と、またプロジェクタ装置の電子回路の機能構成については上記図２と、それぞれ基本的に同様であるものとし、同一部分には同一符号を付してその図示及び説明を省略するものとする。
【００６１】
しかして、方式記憶部４１は、例えばフラッシュメモリ等の電気的に書換可能な不揮発性メモリで構成され、複数のテレビ標準方式の各判別条件等を固定的に記憶する一方で、図６に示すように、過去に入力した映像信号のテレビ標準（ＴＶ）方式の識別情報が複数、新しいものがより優先順位が高くなるようにして記憶されているものとする。
【００６２】
入出力コネクタ部１７より入力される映像信号のテレビ標準方式を判別する際、制御部４２は適宜方式記憶部４１からその内容を優先順位を指定することで読出す。
【００６３】
次に上記実施の形態の動作について説明する。  
なお、上記方式記憶部４１には、図６に示したように過去に入力した映像信号のテレビ標準方式の識別情報が、より新しいものがより優先順位が高いものとして、複数Ｎ個記憶されているものとする。
【００６４】
図５は、このプロジェクタ装置１０背面の上記入出力コネクタ部１７に外部機器を接続し、あらたに映像信号が入力される際に、主として制御部４２が実行するテレビ標準方式の判別処理を示すもので、その当初には、変数ｎに初期値「１」を設定し（ステップＢ０１）、その後に入力される映像信号が安定するだけの待機処理を行なってから（ステップＢ０２）、入力される映像信号のテレビ標準方式が方式記憶部４１の変数ｎで示されるｎ番目に記憶された優先順位のテレビ標準方式であるか否かを判断する（ステップＢ０３）。
【００６５】
ここで、入力された映像信号が方式記憶部４１のｎ番目のテレビ標準方式ではないと判断した場合には、さらに変数ｎを「＋１」更新設定し（ステップＢ０４）、この更新設定した変数ｎの値が最大値「Ｎ」を超えていないことを確認した上で（ステップＢ０５）、再びステップＢ０２に戻り、更新設定した変数ｎに基づいて、入力される映像信号のテレビ標準方式と方式記憶部４１に記憶されるｎ番目のテレビ標準方式との一致比較を行なう。
【００６６】
こうしてステップＢ０２〜Ｂ０５の処理を順次繰返し実行し、入力される映像信号のテレビ標準方式と一致するものがないままに変数ｎの値が最大値Ｎを超えてしまった場合には、該当するテレビ標準方式がなかったものとして、以上でこの図５の処理を終了する。
【００６７】
また、上記ステップＢ０３で、入力される映像信号のテレビ標準方式が方式記憶部４１に記憶されるｎ番目のテレビ標準方式であると判断した場合、直ちに今回入力されている映像信号のテレビ標準方式を確定する（ステップＢ０６）。
【００６８】
その後、あらためて入力される映像信号のテレビ標準方式が方式記憶部４１の優先順位「１」のテレビ標準方式であるか否か、換言すれば直近に入力された映像信号と今回入力した映像信号のテレビ標準方式が等しいか否かを判断する（ステップＢ０７）。
【００６９】
ここで、２つのテレビ標準方式が等しいと判断した場合には、同一のテレビ標準方式の映像信号を少なくとも２回以上続けて入力したことになるものとして、以上でこの図５の処理を終了する。
【００７０】
また上記ステップＢ０７で、今回入力した映像信号のテレビ標準方式は、方式記憶部４１の優先順位「１」のテレビ標準方式とは異なると判断した場合には、今回入力した映像信号のテレビ標準方式をあらたに記憶する前段階のソーティング処理として、まず変数ｎに最大値「Ｎ」を設定し（ステップＢ０８）、方式記憶部４１に記憶される優先順位が「ｎ−１」番目のテレビ標準方式の識別情報をｎ番目のテレビ標準方式の識別情報に上書き設定する（ステップＢ０９）。
【００７１】
その後、変数ｎを「−１」更新設定し（ステップＢ１０）、この更新設定した変数ｎが最小値「１」ではないことを確認した上で（ステップＢ１１）、再び上記ステップＢ０９からの処理に戻る。
【００７２】
こうしてステップＢ０９〜Ｂ１１の処理を繰返し実行することで、それまで優先順位「１」〜「Ｎ−１」に記憶されていたテレビ標準方式の識別情報をそれぞれ１段ずつ下げて優先順位「２」〜「Ｎ」に記憶させるソーティング処理を実行する。
【００７３】
しかして、このソーティング処理を完了し、変数ｎの値が最小値「１」となった時点でステップＢ１１によりこれを判断し、あらためて今回入力した映像信号のテレビ標準方式の識別情報を優先順位「１」のテレビ標準方式として方式記憶部４１に代入設定し（ステップＢ１２）、以上でこの図５の処理を終了する。
【００７４】
このように、所定の優先順位に従って過去に入力した映像信号のテレビ標準方式を方式記憶部４１に複数記憶しておき、その優先順位に従ってあらたに入力した映像信号のテレビ標準方式を判別するようにした。
【００７５】
したがって、入力される映像信号のテレビ標準方式がその都度異なる場合であっても、過去の履歴をより有効に活用し、短時間のうちに判別することが可能となる。
【００７６】
加えて、この第２の実施の形態では、より近い過去に入力したテレビ標準方式の映像信号がより優先順位が高いものとしたので、同一のテレビ標準方式の映像信号が続けて入力されるような場合に、特にその判別に要する時間を大幅に短縮することができる。
【００７７】
（第３の実施の形態）  
以下本発明をプロジェクタ装置に適用した場合の第３の実施の形態について図面を参照して説明する。
【００７８】
なお、プロジェクタ装置の外観構成については上記図１と、またプロジェクタ装置の電子回路の機能構成については上記図２と、それぞれ基本的に同様であるものとし、同一部分には同一符号を付してその図示及び説明を省略するものとする。
【００７９】
しかして、方式記憶部４１は、例えばフラッシュメモリ等の電気的に書換可能な不揮発性メモリで構成され、複数のテレビ標準方式の各判別条件等を固定的に記憶する一方で、図８に示すように、過去に入力した映像信号のテレビ標準（ＴＶ）方式の識別情報が複数、入力頻度情報の大きい順序で記憶されているものとする。
【００８０】
入出力コネクタ部１７より入力される映像信号のテレビ標準方式を判別する際、制御部４２は適宜方式記憶部４１からその内容を優先順位を指定することで読出す。
【００８１】
次に上記実施の形態の動作について説明する。  
なお、上記方式記憶部４１には、図８に示したように過去に入力した映像信号のテレビ標準方式の識別情報が、入力頻度情報の大きい順位で複数Ｎ個記憶されているものとする。
【００８２】
図７は、このプロジェクタ装置１０背面の上記入出力コネクタ部１７に外部機器を接続し、あらたに映像信号が入力される際に、主として制御部４２が実行するテレビ標準方式の判別処理を示すもので、その当初には、変数ｎに初期値「１」を設定し（ステップＣ０１）、その後に入力される映像信号が安定するだけの待機処理を行なってから（ステップＣ０２）、入力される映像信号のテレビ標準方式が方式記憶部４１の変数ｎで示されるｎ番目に記憶された優先順位のテレビ標準方式であるか否かを判断する（ステップＣ０３）。
【００８３】
ここで、入力された映像信号が方式記憶部４１のｎ番目のテレビ標準方式ではないと判断した場合には、さらに変数ｎを「＋１」更新設定し（ステップＣ０４）、この更新設定した変数ｎの値が最大値「Ｎ」を超えていないことを確認した上で（ステップＣ０５）、再びステップＣ０２に戻り、更新設定した変数ｎに基づいて、入力される映像信号のテレビ標準方式と方式記憶部４１に記憶されるｎ番目のテレビ標準方式との一致比較を行なう。
【００８４】
こうしてステップＣ０２〜Ｃ０５の処理を順次繰返し実行し、入力される映像信号のテレビ標準方式と一致するものがないままに変数ｎの値が最大値Ｎを超えてしまった場合には、該当するテレビ標準方式がなかったものとして、以上でこの図７の処理を終了する。
【００８５】
また、上記ステップＣ０３で、入力される映像信号のテレビ標準方式が方式記憶部４１に記憶されるｎ番目のテレビ標準方式であると判断した場合、直ちに今回入力されている映像信号のテレビ標準方式を確定する（ステップＣ０６）。
【００８６】
その後、今回入力された映像信号のテレビ標準方式に関し、方式記憶部４１に記憶される同テレビ標準方式の入力頻度情報を「＋１」更新設定し（ステップＣ０７）、この更新設定に基づいてソーティング処理を実行し、あらたな入力頻度に応じて複数のテレビ標準方式を必要により並び換えて（ステップＣ０８）、以上でこの図７の処理を終了する。
【００８７】
このように、過去に入力した映像信号のテレビ標準方式毎にその入力頻度の情報を方式記憶部４１に記憶しておき、その入力頻度が大きいものほど優先順位が高いものとして、あらたに入力した映像信号のテレビ標準方式を順次優先順位に従って判別するようにした。
【００８８】
したがって、入力される映像信号のテレビ標準方式がその都度異なる場合であっても、過去の履歴をより有効、且つ総合的に活用するものとして、より短時間のうちに判別することが可能となる。
【００８９】
なお、上記第１乃至第３の実施の形態は、いずれも本発明をプロジェクタ装置に適用した場合について説明したが、本発明はこれらの機器に限るものではなく、複数のテレビ標準方式の映像信号が入力され得る、例えば液晶やプラズマの表示パネルを用いたモニタ装置や、ＨＤＤ（ハードディスク装置）を内蔵したビデオレコーダ等の各種のビデオ機器にも同様に適用することが可能である。
【００９０】
加えて、本発明は具体的なテレビ標準方式名や判別可能なテレビ標準方式の数等に限定されるものでもないことは勿論である。
【００９１】
その他、本発明は上記実施の形態に限らず、その要旨を逸脱しない範囲内で種々変形して実施することが可能であるものとする。
【００９２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９３】
【図１】本発明の第１の実施の形態に係るプロジェクタ装置の外観構成を示す斜視図。
【図２】同実施の形態に係る電子回路の機能構成を示すブロック図。
【図３】同実施の形態に係るテレビ標準方式の選択設定の処理内容を示すフローチャート。
【図４】図２の方式記憶部での記憶内容を例示する図。
【図５】本発明の第２の実施の形態に係るプロジェクタ装置でのテレビ標準方式の選択設定の処理内容を示すフローチャート。
【図６】同実施の形態に係る方式記憶部での記憶内容を例示する図。
【図７】本発明の第３の実施の形態に係るプロジェクタ装置でのテレビ標準方式の選択設定の処理内容を示すフローチャート。
【図８】同実施の形態に係る方式記憶部での記憶内容を例示する図。
【符号の説明】
【００９４】
１０…プロジェクタ装置、１１…本体ケーシング、１２…投影レンズ、１３…測距センサ、１４…Ｉｒ受光部、１５…スイッチ部、１６…スピーカ、１７…入出力コネクタ部、１８…Ｉｒ受光部、１９…ＡＣアダプタ接続部、２０ａ〜２０ｄ…調整脚部、３１…入出力インタフェース（Ｉ／Ｆ）、３２…映像変換部、３３…表示エンコーダ、３４…ビデオＲＡＭ、３５…表示駆動部、３６…空間的光変調素子（ＳＯＭ）、３７…リフレクタ、３８…光源ランプ、３９…カラーホイール、４０…ミラー、４１…方式記憶部、４１ａ…前回方式記憶部、４１ｂ…言語対応方式テーブル、４２…制御部、４３…脚駆動部、４４…測距処理部、４５…音声処理部、ＳＢ…システムバス。
【図１】
2006253917.tif 000003
【図２】
2006253917.tif 000004
【図３】
2006253917.tif 000005
【図４】
2006253917.tif 000006
【図５】
2006253917.tif 000007
【図６】
2006253917.tif 000008
【図７】
2006253917.tif 000009
【図８】
2006253917.tif 000010